(57)【要約】【課題】作業効率の向上を図ることができる携帯端末、測定システム及びプログラムを提供する。【解決手段】携帯端末３は、三つの端子４２がそれぞれ設けられる複数の端子台４１を含む配電盤４の画像データを取得する画像取得部３５１と、画像データに基づいて複数の端子台４１の端子４２を特定する端子特定部３５２と、端子台４１の端子４２に基づいて端子間測定ポイント６を順に選択可能な選択可能画像を表示部３４に表示させるための選択可能画像データを生成するデータ生成部３５３と、選択可能画像データに基づいて順に選択される端子台４１の端子間測定ポイント６の選択情報を取得する選択情報取得部３５４と、選択情報に基づいて未選択の端子台４１における端子間測定ポイント６に測定順序を自動的に付与する測定順序付与部３５７と、を備える。【選択図】図３
2020190811.tif 000002
【特許請求の範囲】
【請求項１】
三つ以上の端子がそれぞれ設けられる複数のユニットを含む被測定対象の画像データを取得する画像取得手段と、
前記画像取得手段によって取得された前記画像データに基づいて、複数の前記ユニットの端子を特定する端子特定手段と、
前記端子特定手段によって特定された前記ユニットの端子に基づいて、端子間測定ポイントを順に選択可能な選択可能画像を表示部に表示させるための選択可能画像データを生成するデータ生成手段と、
前記表示部に表示された前記選択可能画像から順に選択される前記ユニットの端子間測定ポイントの選択情報を取得する選択情報取得手段と、
前記選択情報取得手段によって取得された前記選択情報に基づいて、未選択のユニットにおける端子間測定ポイントに測定順序を自動的に付与する測定順序付与手段と、を備える、携帯端末。
【請求項２】
請求項１に記載の携帯端末であって、
前記画像データに基づいて、前記ユニットの測定順序を特定する測定順序特定手段をさらに備え、
前記測定順序付与手段は、前記測定順序特定手段によって特定された前記ユニットの測定順序と、前記選択情報取得手段によって取得された前記選択情報と、に基づいて、未選択のユニットにおける端子間測定ポイントに測定順序を自動的に付与する、携帯端末。
【請求項３】
請求項２に記載の携帯端末であって、
前記ユニットの測定順序及び前記選択情報に基づいて、先頭のユニットにおける端子間測定ポイントのみが選択されたか否かを判定する選択判定手段をさらに備え、
前記選択判定手段が、先頭のユニットにおける端子間測定ポイントのみが選択されたと判定した場合、前記測定順序付与手段は、前記ユニットの測定順序及び前記選択情報に基づいて、未選択のユニットにおける端子間測定ポイントに測定順序を自動的に付与する、携帯端末。
【請求項４】
請求項２に記載の携帯端末であって、
前記ユニットの測定順序及び前記選択情報に基づいて、先頭のユニットにおける全部の端子間測定ポイントのみが選択されたか否かを判定する選択判定手段をさらに備え、
前記選択判定手段が、先頭のユニットにおける全部の端子間測定ポイントのみが選択されたと判定した場合、前記測定順序付与手段は、前記ユニットの測定順序及び前記選択情報に基づいて、未選択のユニットにおける全部の端子間測定ポイントに測定順序を自動的に付与する、携帯端末。
【請求項５】
請求項１から４のいずれか１項に記載の携帯端末であって、
前記選択情報は、前記選択可能画像から順に選択される前記ユニットの端子間測定ポイントの選択位置を示す選択位置情報と、前記選択可能画像から順に選択される前記ユニットの端子間測定ポイントの選択順序を示す選択順序情報と、を含む、携帯端末。
【請求項６】
請求項１から５のいずれか１項に記載の携帯端末であって、
前記端子特定手段は、前記ユニットの端子にそれぞれ接続されるケーブルの色を識別することにより、前記ユニットの端子を特定する、携帯端末。
【請求項７】
請求項１から６のいずれか１項に記載の携帯端末と、
前記携帯端末と通信可能に構成され、前記ユニットの端子間測定ポイントの物理量を測定する測定装置と、を備える測定システム。
【請求項８】
請求項７に記載の測定システムであって、
前記携帯端末は、
前記ユニットの端子間測定ポイントのそれぞれに対応して定められた複数の閾値を記憶する記憶手段と、
前記測定装置によって測定された前記ユニットの端子間測定ポイントの測定値のそれぞれが前記記憶手段に記憶された複数の前記閾値のそれぞれを超えたか否かを判定する測定値判定手段と、
前記測定値判定手段が、前記測定値が前記閾値を超えたと判定した場合、当該測定値を示す測定値データが異常であることを報知する報知手段と、をさらに備える、測定システム。
【請求項９】
コンピュータに、
三つ以上の端子がそれぞれ設けられる複数のユニットを含む被測定対象の画像データを取得する画像取得ステップと、
前記画像取得ステップにおいて取得された前記画像データに基づいて、複数の前記ユニットの端子を特定する特定ステップと、
前記特定ステップにおいて特定された前記ユニットの端子に基づいて、端子間測定ポイントを順に選択可能な選択可能画像を表示部に表示させるための選択可能画像データを生成するデータ生成ステップと、
前記表示部に表示された前記選択可能画像から順に選択される前記ユニットの端子間測定ポイントの選択情報を取得する選択情報取得ステップと、
前記選択情報取得ステップにおいて取得された前記選択情報に基づいて、未選択のユニットにおける端子間測定ポイントに測定順序を自動的に付与する測定順序付与ステップと、を実行させる、プログラム。
【発明の詳細な説明】
【技術分野】
【０００１】
本発明は、携帯端末、測定システム及びプログラムに関する。
【背景技術】
【０００２】
特許文献１には、タッチパネルを操作することによって、測定対象である配電盤の測定順序を手動的に特定可能な携帯情報端末が開示されている。
【先行技術文献】
【特許文献】
【０００３】
【特許文献１】特開２０１６−１６６７６１号公報
【発明の概要】
【発明が解決しようとする課題】
【０００４】
しかしながら、特許文献１に記載されているような携帯端末では、ユーザが配電盤の測定順序を特定する場合、タッチパネルを操作する必要があるため、測定順序の特定に手間がかかり、作業効率が低下するという問題点があった。
【０００５】
本発明は、この問題点に着目してなされたものであり、作業効率の向上を図ることができる携帯端末、測定システム及びプログラムを提供することを目的とする。
【課題を解決するための手段】
【０００６】
本発明のある一つの態様によれば、三つ以上の端子がそれぞれ設けられる複数のユニットを含む被測定対象の画像データを取得する画像取得手段と、前記画像取得手段によって取得された前記画像データに基づいて、複数の前記ユニットの端子を特定する端子特定手段と、前記端子特定手段によって特定された前記ユニットの端子に基づいて、端子間測定ポイントを順に選択可能な選択可能画像を表示部に表示させるための選択可能画像データを生成するデータ生成手段と、前記表示部に表示された前記選択可能画像から順に選択される前記ユニットの端子間測定ポイントの選択情報を取得する選択情報取得手段と、前記選択情報取得手段によって取得された前記選択情報に基づいて、未選択のユニットにおける端子間測定ポイントに測定順序を自動的に付与する測定順序付与手段と、を備える、携帯端末が提供される。
【０００７】
本発明のある他の態様によれば、コンピュータに、三つ以上の端子がそれぞれ設けられる複数のユニットを含む被測定対象の画像データを取得する画像取得ステップと、前記画像取得ステップにおいて取得された前記画像データに基づいて、複数の前記ユニットの端子を特定する特定ステップと、前記特定ステップにおいて特定された前記ユニットの端子に基づいて、端子間測定ポイントを順に選択可能な選択可能画像を表示部に表示させるための選択可能画像データを生成するデータ生成ステップと、前記表示部に表示された前記選択可能画像から順に選択される前記ユニットの端子間測定ポイントの選択情報を取得する選択情報取得ステップと、前記選択情報取得ステップにおいて取得された前記選択情報に基づいて、未選択のユニットにおける端子間測定ポイントに測定順序を自動的に付与する測定順序付与ステップと、を実行させる、プログラムが提供される。
【発明の効果】
【０００８】
これらによれば、複数のユニットの測定順序を設定する作業効率の向上を図ることができる。
【図面の簡単な説明】
【０００９】
【図１】図１は、本実施形態に係る測定システムを示す概略図である。
【図２】図２は、測定システムにおける測定装置の構成ブロック図である。
【図３】図３は、測定システムにおける携帯端末の構成ブロック図である。
【図４】図４は、被測定対象の一例を示す概略正面図である。
【図５】図５は、選択可能画像の一例を示す画像表示図である。
【図６】図６は、ポイント測定順序自動付与の処理を示すフローチャートである。
【図７】図７は、先頭の端子台における全部の端子間測定ポイントのみが選択された状態を示す表示画面図である。
【図８】図８は、端子台の端子間測定ポイントに測定順序が自動的に付与された結果を示す表示画面図である。
【図９】図９は、測定値データ異常報知の処理を示すフローチャートである。
【図１０】図１０は、測定結果を示す表示画面図である。
【図１１】図１１は、第１変形例の携帯端末を示す構成ブロック図である。
【図１２】図１２は、第１変形例の選択可能画像の一例を示す画像表示図である。
【図１３】図１３は、先頭の端子台における一部の端子間測定ポイントのみが選択された状態を示す表示画面図である。
【図１４】図１４は、測定順序が端子台における一部の端子間測定ポイントに自動的に付与された状態を示す表示画面図である。
【発明を実施するための形態】
【００１０】
以下、添付図面を参照しながら本実施形態について説明する。本明細書においては、全体を通じて、同一の要素には同一の符号を付する。
【００１１】
まず、図１から図５を参照しながら本実施形態に係る測定システム１について説明する。
【００１２】
図１は、測定システム１を示す概略図である。図２は、測定装置２の構成ブロック図である。図３は、携帯端末３の構成ブロック図である。図４は、配電盤４の一例を示す概略正面図である。図５は、選択可能画像の一例を示す画像表示図である。
【００１３】
図１から図３に示すように、本実施形態に係る測定システム１は、測定装置２と、測定装置２と通信可能に構成される携帯端末３と、を備える。
【００１４】
図４に示すように、被測定対象としての配電盤４には、複数のユニットとしての端子台４１（ここでは、六つ、４１ａ，４１ｂ，４１ｃ，４１ｄ，４１ｅ，４１ｆ）が２（横方向）×３（縦方向）のようなマトリックス状に配列される。しかしながら、複数の端子台４１は、これに限定されるものではなく、他の形状に配列されてもよい。各端子台４１は、例えば、同一の形状、構造及び寸法を有するブレーカから構成される。
【００１５】
複数の端子台４１（４１ａ，４１ｂ，４１ｃ，４１ｄ，４１ｅ，４１ｆ）には、それぞれ、端子台４１の測定順次を決定するためのコードラベルＬ（Ｌａ，Ｌｂ，Ｌｃ，Ｌｄ，Ｌｅ，Ｌｆ）が貼り付けられる。コードラベルＬ（Ｌａ，Ｌｂ，Ｌｃ，Ｌｄ，Ｌｅ，Ｌｆ）には、端子台４１（４１ａ，４１ｂ，４１ｃ，４１ｄ，４１ｅ，４１ｆ）を識別するためのコードが付与される。なお、コードラベルＬａが貼り付けられる端子台４１ａは、先頭（最初に測定される）の端子台４１である。
【００１６】
各端子台４１には、三本の色違い（ここでは、赤、青、白）のケーブル５（５ａ，５ｂ，５ｃ）のそれぞれが接続される三つの端子４２（４２ａ，４２ｂ，４２ｃ）が設けられる。なお、本実施形態では、端子４２が、三つ設けられているが、これに限定されるものではなく、例えば、四つ又は五つのような三つ以上設けられてもよい。
【００１７】
（測定装置）
図１に示すように、測定装置２は、図示しない一対のリードを介して、配電盤４に含まれる端子台４１（図４参照）の端子間測定ポイントの物理量を測定する。物理量としては、例えば、電圧値、電流値及び抵抗値等が挙げられる。図２に示すように、測定装置２は、測定部２１、通信部２２、操作部２３、表示部２４、制御部２５及びメモリ２６を備える。
【００１８】
測定部２１は、一対のリードを介して入力される信号に基づいて、物理量を測定して測定値を示す測定値データを生成する。そして、測定部２１は、生成した測定値データを制御部２５に出力する。
【００１９】
通信部２２は、ブルートゥース（Ｂｌｕｅｔｏｏｔｈ：登録商標）等の近距離無線通信用の通信タグから構成される。通信部２２は、携帯端末３等の無線通信機器との間で測定値データ等の各種データを送受信する。
【００２０】
操作部２３は、測定条件又は物理量選択等の入力操作が可能なスイッチを有する。操作部２３は、スイッチの入力操作に応じた操作信号を制御部２５に出力する。表示部２４は、液晶表示パネル又は有機ＥＬパネルを有する。表示部２４は、測定条件を設定する画面及び測定結果を表示する画面等の各種の表示画面（図示しない）を表示する。
【００２１】
制御部２５は、コンピュータとしてのＣＰＵから構成される。制御部２５は、複数のマイクロコンピュータから構成することも可能である。また、制御部２５は、測定部２１を制御して測定処理を実行させる。制御部２５は、測定部２１から出力された測定値データをメモリ２６に記憶させる。さらに、制御部２５は、測定値データに基づいて特定された測定値を表示部２４に表示させるとともに、測定値データ及びスイッチ操作に応じた操作信号を通信部２２を介して携帯端末３に送信させる。
【００２２】
（携帯端末）
携帯端末３は、測定処理用プログラムをインストールしたタブレット端末又はスマートフォンから構成される。図３に示すように、携帯端末３は、撮像手段としてのカメラ３１、通信部３２、操作部３３、表示部３４、制御部３５、記憶手段としてのメモリ３６及び報知手段としての報知部３７を備える。
【００２３】
カメラ３１は、三つの端子４２（４２ａ，４２ｂ，４２ｃ）がそれぞれ設けられる複数の端子台４１（ここでは、六つ）を含む配電盤４（図４参照）を撮像して、配電盤４を示す画像データとしての撮像データを生成し、生成した撮像データを制御部３５に出力する。なお、本実施形態では、カメラ３１は、携帯端末３と一体に設けられているが、これに限定されるものではなく、例えば、携帯端末３と別体に設けられてもよい。この場合、カメラ３１が生成した撮像データは、有線通信又は無線通信によって、携帯端末３の制御部３５に送信される。
【００２４】
通信部３２は、測定装置２の通信部２２と同様に、ブルートゥース（Ｂｌｕｅｔｏｏｔｈ：登録商標）等の近距離無線通信用の通信タグから構成される。通信部３２は、測定装置２から送信された測定値データを受信するとともに、測定装置２に対する制御信号を送信する。また、通信部３２は、受信した測定値データを制御部３５に出力する。
【００２５】
操作部３３は、表示部３４の前方に設けられるタッチパネルを有する。操作部３３は、タッチパネルへの操作に応じた操作信号を制御部３５に出力する。なお、本実施形態では、操作部３３は、タッチパネルから構成されている。しかしながら、操作部３３は、これに限定されるものではなく、例えば、携帯端末を機能させるための各種の操作スイッチから構成されてもよいし、タッチパネル及び操作スイッチの組み合わせから構成されてもよい。
【００２６】
表示部３４は、液晶表示パネル又は有機ＥＬパネルを有する。表示部３４は、測定作業支援画面（図５参照）、自動的に付与した測定順序を示す表示画面（図８参照）及び測定結果を示す表示画面（図１０参照）等の各種の表示画面を表示する。
【００２７】
制御部３５は、制御部２５と同様に、コンピュータとしてのＣＰＵから構成される。制御部３５は、複数のマイクロコンピュータから構成することも可能である。制御部３５は、携帯端末３を総括的に制御するためのものであり、その詳細については後述する。
【００２８】
メモリ３６は、図５に示す複数の端子台４１の端子間測定ポイント６（６ａ，６ｂ，６ｃ）に対応して定められる複数の閾値を記録するコンピュータ読取可能な記録媒体である。メモリ３６は、複数の閾値を示す閾値情報を制御部３５、具体的には後述する測定値判定部３６０に出力する。また、メモリ３６は、制御部３５において実行される処理プログラム又はアルゴリズムプログラムを記録する。
【００２９】
報知部３７は、制御部３５、具体的には後述する報知信号生成部３６１から出力された報知信号に基づいて、測定装置２から通信部３２に送信された測定値データが異常であることを報知する。
【００３０】
以下、図３から図５を参照しながら制御部３５の詳細について説明する。
【００３１】
図３に示すように、制御部３５は、画像取得手段としての画像取得部３５１、端子特定手段としての端子特定部３５２、データ生成手段としてのデータ生成部３５３、選択情報取得手段としての選択情報取得部３５４、測定順序特定手段としての測定順序特定部３５５、選択判定手段としての選択判定部３５６、測定順序付与手段としての測定順序付与部３５７、測定値データ取得手段としての測定値データ取得部３５８、付加測定値データ生成手段としての付加測定値データ生成部３５９、測定値判定手段としての測定値判定部３６０及び報知信号生成手段としての報知信号生成部３６１を有する。
【００３２】
画像取得部３５１は、カメラ３１から出力された撮像データを取得する。そして、画像取得部３５１は、取得した撮像データを端子特定部３５２、データ生成部３５３及び測定順序特定部３５５に出力する。
【００３３】
端子特定部３５２は、画像取得部３５１から出力された撮像データに基づいて、その撮像データに示された複数の端子台４１の三つの端子４２（４２ａ，４２ｂ，４２ｃ）を特定する。具体的には、端子特定部３５２は、端子台４１の三つの端子４２（４２ａ，４２ｂ，４２ｃ）にそれぞれ接続されるケーブル５（５ａ，５ｂ，５ｃ）の色を識別することにより、複数の端子台４１の三つの端子４２（４２ａ，４２ｂ，４２ｃ）を特定して、端子４２の位置を示す端子情報を生成する。そして、端子特定部３５２は、生成した端子情報をデータ生成部３５３に出力する。
【００３４】
なお、本実施形態では、端子特定部３５２は、三つの端子４２（４２ａ，４２ｂ，４２ｃ）を特定するために、三つの端子４２（４２ａ，４２ｂ，４２ｃ）にそれぞれ接続されるケーブル５（５ａ，５ｂ，５ｃ）の色を識別している。しかしながら、端子特定部３５２は、これに限定されるものではなく、例えば、端子台４１の端子４２（４２ａ，４２ｂ，４２ｃ）の形状を識別することにより、三つの端子４２（４２ａ，４２ｂ，４２ｃ）を特定してもよい。
【００３５】
データ生成部３５３は、端子特定部３５２から出力された端子情報に基づいて、端子間測定ポイント６（６ａ，６ｂ，６ｃ）を順に選択可能な測定作業支援画面としての選択可能画像（図５参照）を表示部３４に表示させるための選択可能画像データを生成する。具体的には、データ生成部３５３は、画像取得部３５１から出力された撮像データと、端子特定部３５２から出力された端子情報と、に基づいて、選択可能画像を示す選択可能画像データを生成する。そして、データ生成部３５３は、生成した選択可能画像データを表示部３４に出力する。
【００３６】
表示部３４は、データ生成部３５３から出力された選択可能画像データに基づいて、図５に示すような選択可能画像を表示する。図５に示す選択可能画像には、端子４２ａ，４２ｂ間には、端子間測定ポイント６ａが形成され、端子間測定ポイント４２ｂ，４２ｃ間には、端子間測定ポイント６ｂが形成され、端子間測定ポイント４２ａ，４２ｃ間には、端子間測定ポイント６ｃが形成される。このように、端子間測定ポイント６は、端子間の物理量を特定する箇所を特定するためのポイントである。
【００３７】
選択情報取得部３５４は、表示部３４に表示された選択可能画像から順に選択（タップ）される端子台４１の端子間測定ポイント６（６ａ，６ｂ，６ｃ）の選択情報を取得する。具体的には、選択情報取得部３５４は、操作部３３を操作することにより、表示部３４に表示された選択可能画像の中から順に選択される端子台４１の端子間測定ポイント６（６ａ，６ｂ，６ｃ）の選択情報を取得する。
【００３８】
そして、選択情報取得部３５４は、取得した選択情報を選択判定部３５６及び測定順序付与部３５７に出力する。当該選択情報は、選択可能画像から順に選択される端子台４１の端子間測定ポイント６（６ａ，６ｂ，６ｃ）の選択位置を示す選択位置情報と、選択可能画像から順に選択される端子台４１の端子間測定ポイント６（６ａ，６ｂ，６ｃ）の選択順序を示す選択順序情報と、を含む。
【００３９】
測定順序特定部３５５は、画像取得部３５１から出力された撮像データに基づいて、コードラベルＬ（Ｌａ，Ｌｂ，Ｌｃ，Ｌｄ，Ｌｅ，Ｌｆ）に付与されるコードを識別し、端子台４１の測定順序を特定して測定順序情報を生成する。そして、測定順序特定部３５５は、生成した測定順序情報を選択判定部３５６及び測定順序付与部３５７の両方に出力する。
【００４０】
選択判定部３５６は、選択情報取得部３５４から出力された選択情報と、測定順序特定部３５５から出力された端子台４１の測定順序を示す測定順序情報と、に基づいて、先頭の端子台４１ａにおける全部の端子間測定ポイント６（６ａ，６ｂ，６ｃ）のみが選択されたか否かを判定する。すなわち、すなわち、選択判定部３５６は、選択情報と測定順序情報とに基づいて、端子台４１ａのみが選択され、かつ、端子台４１ａにおける端子間測定ポイント６（６ａ，６ｂ，６ｃ）の全部が選択されたか否かを判定する。
【００４１】
選択判定部３５６が、先頭の端子台４１ａにおける全部の端子間測定ポイント６（６ａ，６ｂ，６ｃ）のみが選択されていないと判定した場合、測定順序付与部３５７は、測定順序付与を実行しない。一方、選択判定部３５６が、先頭の端子台４１ａにおける全部の端子間測定ポイント６（６ａ，６ｂ，６ｃ）のみが選択されたと判定した場合、測定順序付与部３５７は、測定順序付与を実行する。
【００４２】
先頭の端子台４１ａにおける全部の端子間測定ポイント６（６ａ，６ｂ，６ｃ）のみが選択された場合、測定順序付与部３５７は、選択情報取得部３５４から出力された選択情報と、測定順序特定部３５５から出力された測定順序情報と、に基づいて、先頭の端子台４１ａ以外の未選択の端子台４１（４１ｂ，４１ｃ，４１ｄ，４１ｅ，４１ｆ）における全部の端子間測定ポイント６（６ａ，６ｂ，６ｃ）に測定順序を自動的に付与する。そして、測定順序付与部３５７は、自動的に付与したポイント測定順序を示すポイント測定順序情報を表示部３４及び付加測定値データ生成部３５９の両方に出力する。
【００４３】
測定値データ取得部３５８は、通信部３２から出力された測定値データを取得する。そして、測定値データ取得部３５８は、取得した測定値データを付加測定値データ生成部３５９に出力する。
【００４４】
付加測定値データ生成部３５９は、測定値データ取得部３５８から出力された測定値データのそれぞれに測定順序付与部３５７から出力されたポイント測定順序情報を付加することにより、ポイント測定順序に対応する測定値を示す付加測定値データを生成する。そして、付加測定値データ生成部３５９は、生成した付加測定値データを表示部３４及び測定値判定部３６０の両方に出力する。
【００４５】
表示部３４は、付加測定値データ生成部３５９から出力された付加測定値データのそれぞれに基づいて、図１０に示されているような測定結果を順に表示する。
【００４６】
測定値判定部３６０は、付加測定値データ生成部３５９から出力された付加測定値データと、メモリ３６から出力された閾値情報と、に基づいて、付加測定値データに示される測定値ごとに当該測定値が閾値情報のうち当該測定値に対応する閾値を超えたか否かを判定する。
【００４７】
測定値が当該測定値に対応する閾値を超えたと判定された場合、報知信号生成部３６１は、報知部３７を実行させる報知信号を生成する。そして、報知信号生成部３６１は、生成した報知信号を報知部３７に出力する。
【００４８】
（ポイント測定順序自動付与の処理）
次に、図６から図８を参照しながらポイント測定順序自動付与の処理について説明する。この処理は、制御部３５にプログラムされる。
【００４９】
図６は、ポイント測定順序自動付与の処理を示すフローチャートである。図７は、先頭の端子台４１ａにおける全部の端子間測定ポイント６（６ａ，６ｂ，６ｃ）のみが選択された状態を示す表示画面図である。図８は、端子台４１（４１ｂ，４１ｃ，４１ｄ，４１ｅ，４１ｆ）の端子間測定ポイント６（６ａ，６ｂ，６ｃ）に測定順序が自動的に付与された結果を示す表示画面図である。
【００５０】
カメラ３１が配電盤４を撮像すると、ポイント測定順序自動付与の処理が開始し、図６に示すように、ステップＳ１１に進む。
【００５１】
まず、ステップＳ１１において、画像取得部３５１は、カメラ３１から出力された撮像データを取得する。そして、画像取得部３５１は、取得した撮像データを端子特定部３５２、データ生成部３５３及び測定順序特定部３５５に出力し、ステップＳ１２に進む。
【００５２】
次に、ステップＳ１２において、端子特定部３５２は、画像取得部３５１によって取得された撮像データに基づいて、複数の端子台４１の三つの端子４２（４２ａ，４２ｂ，４２ｃ）を特定する。具体的には、端子特定部３５２は、端子台４１の三つの端子４２（４２ａ，４２ｂ，４２ｃ）にそれぞれ接続されるケーブル５（５ａ，５ｂ，５ｃ）の色を識別することにより、複数の端子台４１の三つの端子４２（４２ａ，４２ｂ，４２ｃ）を特定して端子情報を生成する。そして、端子特定部３５２は、生成した端子情報をデータ生成部３５３に出力し、ステップＳ１３に進む。
【００５３】
次に、ステップＳ１３において、データ生成部３５３は、端子特定部３５２によって特定された三つの端子４２（４２ａ，４２ｂ，４２ｃ）に基づいて、端子間測定ポイント６（６ａ，６ｂ，６ｃ）を順に選択可能な選択可能画像（図５参照）を表示部３４に表示させるための選択可能画像データを生成する。具体的には、データ生成部３５３は、画像取得部３５１によって取得された撮像データと、端子特定部３５２によって特定された三つの端子４２（４２ａ，４２ｂ，４２ｃ）と、に基づいて、選択可能画像を示す選択可能画像データを生成する。そして、データ生成部３５３は、生成した選択可能画像データを表示部３４に出力し、ステップＳ１４に進む。
【００５４】
次に、ステップＳ１４において、選択情報取得部３５４は、表示部３４に表示された選択可能画像から順に選択される端子台４１の端子間測定ポイント６（６ａ，６ｂ，６ｃ）の選択情報を取得する。具体的には、選択情報取得部３５４は、操作部３３を操作することにより、表示部３４に表示された選択可能画像から順に選択される端子台４１の端子間測定ポイント６（６ａ，６ｂ，６ｃ）の選択情報を取得する。そして、選択情報取得部３５４は、取得した選択情報を選択判定部３５６及び測定順序付与部３５７に出力し、ステップＳ１５に進む。
【００５５】
次に、ステップＳ１５において、測定順序特定部３５５は、画像取得部３５１によって取得された画像データに基づいて、コードラベルＬ（Ｌａ，Ｌｂ，Ｌｃ，Ｌｄ，Ｌｅ，Ｌｆ）に付与されるコードを識別し、端子台４１の測定順序を特定して測定順序情報を生成する。そして、測定順序特定部３５５は、生成した端子台４１の測定順序情報を選択判定部３５６及び測定順序付与部３５７の両方に出力し、ステップＳ１６に進む。
【００５６】
次に、ステップＳ１６において、選択判定部３５６は、選択情報取得部３５４によって取得された選択情報と、測定順序特定部３５５によって特定された端子台４１の測定順序と、に基づいて、先頭の端子台４１ａにおける全部の端子間測定ポイント６（６ａ，６ｂ，６ｃ）のみが選択されたか否かを判定する。
【００５７】
図７に示すように、先頭の端子台４１ａにおける全部の端子間測定ポイント６（６ａ，６ｂ，６ｃ）のみが選択された場合（Ｙｅｓ）、ステップＳ１７に進む。一方、先頭の端子台４１ａにおける全部の端子間測定ポイント６（６ａ，６ｂ，６ｃ）のみが選択されていない場合（Ｎｏ）、本処理を終了させる。すなわち、先頭の端子台４１ａ以外の端子台４１（４１ｂ，４１ｃ，４１ｄ，４１ｅ，４１ｆ）における端子間測定ポイント６（６ａ，６ｂ，６ｃ）が選択された、或いは、先頭の端子台４１ａにおける一部の端子間測定ポイント６（６ａ，６ｂ，６ｃ）のみが選択された場合、本処理を終了させる。
【００５８】
次に、ステップＳ１６でＹｅｓの場合、ステップＳ１７において、測定順序付与部３５７は、選択情報取得部３５４によって取得された選択情報と、測定順序特定部３５５によって特定された端子台４１の測定順序と、に基づいて、先頭の端子台４１ａ以外の未選択の端子台４１（４１ｂ，４１ｃ，４１ｄ，４１ｅ，４１ｆ）における全部の端子間測定ポイント６（６ａ，６ｂ，６ｃ）に測定順序を自動的に付与する。
【００５９】
具体的には、測定順序付与部３５７は、先頭の端子台４１ａにおける端子間測定ポイント６（６ａ，６ｂ，６ｃ）の選択パターン（選択順序）に従って、先頭の端子台４１ａ以外の未選択の端子台４１（４１ｂ，４１ｃ，４１ｄ，４１ｅ，４１ｆ）の測定順序に沿って、端子台４１（４１ｂ，４１ｃ，４１ｄ，４１ｅ，４１ｆ）における全部の端子間測定ポイント６（６ａ，６ｂ，６ｃ）に測定順序を自動的に付与する。
【００６０】
そして、測定順序付与部３５７は、自動的に付与したポイント測定順序を示すポイント測定順序情報を表示部３４及び付加測定値データ生成部３５９の両方に出力し、ポイント測定順序自動付与の処理を終了させる。表示部３４は、測定順序付与部３５７によって自動的に付与されたポイント測定順序に基づいて、自動付与結果を図８のように表示する。
【００６１】
図８に示すように、ユーザが先頭の端子台４１ａにおける端子間測定ポイント６ａ，６ｂ，６ｃをそれぞれ１，２，３として選択した場合、先頭の端子台４１ａに続く二番目の端子台４１ｂにおける端子間測定ポイント６ａ，６ｂ，６ｃにそれぞれ４，５，６が付与される。同時に端子台４１ｂに続く三番目の端子台４１ｃにおける端子間測定ポイント６ａ，６ｂ，６ｃにそれぞれ７，８，９が付与される。同時に端子台４１ｃに続く四番目の端子台４１ｄにおける端子間測定ポイント６ａ，６ｂ，６ｃにそれぞれ１０，１１，１２が付与される。端子台４１ｄに続く五番目の端子台４１ｅにおける端子間測定ポイント６ａ，６ｂ，６ｃにそれぞれ１３，１４，１５が付与される。端子台４１ｅに続く六番目の端子台４１ｆにおける端子間測定ポイント６ａ，６ｂ，６ｃにそれぞれ１６，１７，１８が付与される。
【００６２】
このように、制御部３５は、ポイント測定順序自動付与の処理を実行するので、先頭の端子台４１ａにおける全部の端子間測定ポイント６（６ａ，６ｂ，６ｃ）のみが選択された場合、測定順序付与部３５７は、端子台４１の測定順序及び選択情報に基づいて、未選択の端子台４１（４１ｂ，４１ｃ，４１ｄ，４１ｅ，４１ｆ）における全部の端子間測定ポイント６（６ａ，６ｂ，６ｃ）に測定順序を自動的に付与する。これにより、全部の端子台４１における端子間測定ポイント６（６ａ，６ｂ，６ｃ）を手動で選択する必要がないので、端子台４１における端子間測定ポイント６（６ａ，６ｂ，６ｃ）の選択作業を効率的に行うことができる。したがって、複数の端子台４１の測定順序を設定する作業効率の向上を図ることができる。
【００６３】
（測定値データ異常報知の処理）
次に、図９及び図１０を参照しながら測定値データ異常報知の処理について説明する。この処理は、制御部３５にプログラムされる。
【００６４】
図９は、測定値データ異常報知の処理を示すフローチャートである。図１０は、測定結果を示す表示画面図である。
【００６５】
通信部３２が測定装置２から送信された測定値データを受信すると、測定値データ異常報知の処理が開始し、図９に示すように、ステップＳ２１に進む。
【００６６】
まず、ステップＳ２１において、測定値データ取得部３５８は、通信部３２から出力された測定値データを取得する。そして、測定値データ取得部３５８は、取得した測定値データを付加測定値データ生成部３５９に出力し、ステップＳ２２に進む。
【００６７】
次に、ステップＳ２２において、付加測定値データ生成部３５９は、測定値データ取得部３５８から出力された測定値データに測定順序付与部３５７から出力されたポイント測定順序情報を付加することにより、付加測定値データを生成する。そして、付加測定値データ生成部３５９は、生成した付加測定値データを表示部３４及び測定値判定部３６０の両方に出力し、ステップＳ２３に進む。
【００６８】
次に、ステップＳ２３において、測定値判定部３６０は、付加測定値データ生成部３５９から出力された付加測定値データと、メモリ３６から出力された閾値情報と、に基づいて、付加測定値データに示された測定値が閾値情報に示されて当該測定値に対応する閾値を超えたか否かを判定する。測定値が閾値を超えた場合（Ｙｅｓ）、ステップＳ２４に進む。一方、測定値が閾値を超えていない場合（Ｎｏ）、本処理を終了させる。
【００６９】
次に、ステップＳ２３でＹｅｓの場合、ステップＳ２４において、報知信号生成部３６１は、報知部３７を実行させる報知信号を生成する。そして、報知信号生成部３６１は、生成した報知信号を報知部３７に出力し、本処理を終了させる。報知部３７は、報知信号生成部３６１から出力された報知信号に基づいて、測定値を示す測定値データが異常であることを報知する。
【００７０】
このように、測定値判定部３６０は、測定装置２から送信された測定値がメモリ３６に記憶された閾値を超えたか否かを判定し、報知部３７は、測定値が閾値を超えた場合、当該測定値を示す測定値データが異常であることを報知するので、測定値データの異常及びその異常に対応する端子間測定ポイント６を速やかに把握することができる。これにより、異常の原因等を一早く解析することができる。
【００７１】
ユーザは、先頭の端子台４１ａにおける端子間測定ポイント６（６ａ，６ｂ，６ｃ）の選択測定順序、及び他の端子台４１（４１ｂ，４１ｃ，４１ｄ，４１ｅ，４１ｆ）における端子間測定ポイント６（６ａ，６ｂ，６ｃ）の自動付与測定順序に従って、測定装置２を用いて各端子間測定ポイント６（６ａ，６ｂ，６ｃ）の物理量（ここでは、電圧）を測定する。そして、測定装置２の制御部２５は、測定値を示す測定値データを通信部２２を介して携帯端末３に送信させる。
【００７２】
そして、図１０に示すように、携帯端末３の表示部３４は、測定装置２から送信された測定値データに基づいて、測定結果を表示する。具体的には、表示部３４は、端子台４１における各端子間測定ポイント６（６ａ，６ｂ，６ｃ）に対応する測定値を表示させる。なお、閾値を超えた測定値（ここでは、Ｖ４及びＶ１５）については、点滅表示させることにより、報知部３７が実現される。
【００７３】
なお、本実施形態では、報知部３７は、測定値の点滅表示によって構成されているが、これに限定されるものではなく、例えば、スピーカによって構成されてもよい。
【００７４】
次に、本実施形態による作用効果について説明する。
【００７５】
以上述べたように、本実施形態に係る携帯端末３は、三つの端子４２（４２ａ，４２ｂ，４２ｃ）がそれぞれ設けられる複数の端子台４１を含む配電盤４の画像データを取得する画像取得部３５１と、画像取得部３５１によって取得された画像データに基づいて、複数の端子台４１の端子４２（４２ａ，４２ｂ，４２ｃ）を特定する端子特定部３５２と、端子特定部３５２によって特定された端子台４１の端子４２（４２ａ，４２ｂ，４２ｃ）に基づいて、端子間測定ポイント６（６ａ，６ｂ，６ｃ）を順に選択可能な選択可能画像を表示部３４に表示させるための選択可能画像データを生成するデータ生成部３５３と、表示部３４に表示された選択可能画像から順に選択される端子台４１の端子間測定ポイント６（６ａ，６ｂ，６ｃ）の選択情報を取得する選択情報取得部３５４と、選択情報取得部３５４によって取得された選択情報に基づいて、未選択の端子台４１における端子間測定ポイント６（６ａ，６ｂ，６ｃ）に測定順序を自動的に付与する測定順序付与部３５７と、を備える。
【００７６】
また、本実施形態に係る測定システム１は、上述した携帯端末３と、携帯端末３と通信可能に構成され、端子台４１の端子間測定ポイント６（６ａ，６ｂ，６ｃ）の物理量を測定する測定装置２と、を備える。
【００７７】
さらに、本実施形態に係るプログラムは、制御部３５に三つの端子４２（４２ａ，４２ｂ，４２ｃ）がそれぞれ設けられる複数の端子台４１を含む配電盤４の画像データを取得するステップＳ１１と、ステップＳ１１において取得された画像データに基づいて、複数の端子台４１の端子４２（４２ａ，４２ｂ，４２ｃ）を特定するステップＳ１２と、ステップＳ１２において特定された端子台４１の端子４２（４２ａ，４２ｂ，４２ｃ）に基づいて、端子間測定ポイント６（６ａ，６ｂ，６ｃ）を順に選択可能な選択可能画像を表示部３４に表示させるための選択可能画像データを生成するステップＳ１３と、表示部３４に表示された選択可能画像から順に選択される端子台４１の端子間測定ポイント６（６ａ，６ｂ，６ｃ）の選択情報を取得するステップＳ１４と、ステップＳ１４において取得された選択情報に基づいて、未選択の端子台４１における端子間測定ポイント６（６ａ，６ｂ，６ｃ）に測定順序を自動的に付与するステップＳ１７と、を実行させる。
【００７８】
これらの構成によれば、取得された選択情報に基づいて、複数の端子台４１ａの測定順序が、未選択の端子台４１における端子間測定ポイント６（６ａ，６ｂ，６ｃ）に自動的に付与されるので、全ての端子台４１における端子間測定ポイント６（６ａ，６ｂ，６ｃ）を手動で選択する必要がない。これにより、端子台４１における端子間測定ポイント６（６ａ，６ｂ，６ｃ）の選択作業を効率的に行うことができる。したがって、複数の端子台４１の測定順序を設定する作業効率の向上を図ることができる。
【００７９】
また、本実施形態では、携帯端末３は、画像データに基づいて、端子台４１の測定順序を特定する測定順序特定部３５５をさらに備える。そして、測定順序付与部３５７は、測定順序特定部３５５によって特定された端子台４１の測定順序と、選択情報取得部３５４によって取得された選択情報と、に基づいて、未選択の端子台４１における端子間測定ポイント６（６ａ，６ｂ，６ｃ）に測定順序を自動的に付与する。
【００８０】
この構成によれば、測定順序付与部３５７は、測定順序特定部３５５によって特定された端子台４１の測定順序と、選択情報取得部３５４によって取得された選択情報と、に基づいて、未選択の端子台４１における端子間測定ポイント６（６ａ，６ｂ，６ｃ）に測定順序を自動的に付与するので、端子台４１の測定順序を手動で特定することなく、全ての端子台４１における端子間測定ポイント６（６ａ，６ｂ，６ｃ）を手動で選択する必要がない。これにより、端子台４１における端子間測定ポイント６（６ａ，６ｂ，６ｃ）の選択作業をより効率的に行うことができる。したがって、作業効率の向上をより図ることができる。
【００８１】
また、本実施形態では、携帯端末３は、端子台４１の測定順序及び選択情報に基づいて、先頭の端子台４１ａにおける全部の端子間測定ポイント６（６ａ，６ｂ，６ｃ）のみが選択されたか否かを判定する選択判定部３５６をさらに備える。そして、選択判定部３５６が、先頭の端子台４１ａにおける全部の端子間測定ポイント６（６ａ，６ｂ，６ｃ）のみが選択されたと判定した場合、測定順序付与部３５７は、端子台４１の測定順序及び選択情報に基づいて、未選択の端子台４１（４１ｂ，４１ｃ，４１ｄ，４１ｅ，４１ｆ）における全部の端子間測定ポイント６（６ａ，６ｂ，６ｃ）に測定順序を自動的に付与する。
【００８２】
この構成によれば、先頭の端子台４１ａにおける全部の端子間測定ポイント６（６ａ，６ｂ，６ｃ）のみが選択されたと判定された場合、測定順序付与部３５７は、端子台４１の測定順序及び選択情報に基づいて、未選択の端子台４１（４１ｂ，４１ｃ，４１ｄ，４１ｅ，４１ｆ）における全部の端子間測定ポイント６（６ａ，６ｂ，６ｃ）に測定順序を自動的に付与するので、全部の端子台４１における端子間測定ポイント６（６ａ，６ｂ，６ｃ）を手動で選択する必要がない。これにより、端子台４１における端子間測定ポイント６（６ａ，６ｂ，６ｃ）の選択作業をより効率的に行うことができる。
【００８３】
また、先頭の端子台４１ａにおける端子間測定ポイント６（６ａ，６ｂ，６ｃ）のみが選択されていないと判定された場合、ポイント測定順序自動付与の処理を終了させて、端子間測定ポイント６（６ａ，６ｂ，６ｃ）の手動選択に切り替えることにより、ポイント測定順序自動付与とは異なる測定順序付与を実現することができる。
【００８４】
また、本実施形態では、選択情報は、選択可能画像から順に選択される端子台４１の端子間測定ポイント６（６ａ，６ｂ，６ｃ）の選択位置を示す選択位置情報と、選択可能画像から順に選択される端子台４１の端子間測定ポイント６（６ａ，６ｂ，６ｃ）の選択順序を示す選択順序情報と、を含む。
【００８５】
この構成によれば、選択可能画像から順に選択される端子台４１の端子間測定ポイント６（６ａ，６ｂ，６ｃ）の選択位置を示す選択位置情報に基づいて、先頭の端子台４１ａにおける端子間測定ポイント６（６ａ，６ｂ，６ｃ）のみが選択されたか否かを容易に判定することができる。また、選択可能画像から順に選択される端子台４１の端子間測定ポイント６（６ａ，６ｂ，６ｃ）の選択順序を示す選択順序情報に基づいて、先頭の端子台４１ａにおける端子間測定ポイント６（６ａ，６ｂ，６ｃ）の選択パターンを容易に特定することができる。
【００８６】
また、本実施形態では、端子特定部３５２は、端子台４１の端子４２（４２ａ，４２ｂ，４２ｃ）にそれぞれ接続されるケーブル５（５ａ，５ｂ，５ｃ）の色を識別することにより、端子台４１の端子４２（４２ａ，４２ｂ，４２ｃ）を特定する。この構成によれば、端子台４１の端子４２（４２ａ，４２ｂ，４２ｃ）を容易に特定することができる。
【００８７】
また、本実施形態では、携帯端末３は、端子台４１の端子間測定ポイント６（６ａ，６ｂ，６ｃ）のそれぞれに対応して定められた複数の閾値を記憶するメモリ３６と、測定装置２によって測定された端子台４１の端子間測定ポイント６（６ａ，６ｂ，６ｃ）の測定値のそれぞれがメモリ３６に記憶された複数の閾値のそれぞれを超えたか否かを判定する測定値判定部３６０と、測定値が閾値を超えたと判定された場合、当該測定値を示す測定値データが異常であることを報知する報知部３７と、をさらに備える。
【００８８】
この構成によれば、測定値判定部３６０は、測定された端子台４１の端子間測定ポイント６（６ａ，６ｂ，６ｃ）の測定値のそれぞれがメモリ３６に記憶された複数の閾値のそれぞれを超えたか否かを判定し、報知部３７は、測定値が閾値を超えた場合、当該測定値を示す測定値データが異常であることを報知するので、測定値データの異常及びその異常に対応する端子間測定ポイント６を速やかに把握することができる。これにより、異常の原因等を一早く解析することができる。
【００８９】
以上、本実施形態について説明したが、上記実施形態は、本発明の適用例の一部を示したに過ぎず、本発明の技術的範囲を上記実施形態の具体的構成に限定する趣旨ではない。
【００９０】
（第１変形例の携帯端末）
次に、図１１及び図１２を参照しながら第１変形例の携帯端末３について説明する。なお、第１変形例では、上述した実施形態と同様の点については説明を省略し、主に上述した実施形態と異なる点について説明する。
【００９１】
図１１は、第１変形例の携帯端末３を示す構成ブロック図である。図１２は、第１変形例の選択可能画像の一例を示す画像表示図である。
【００９２】
上述した実施形態では、携帯端末３の制御部３５は、端子台４１の測定順序を示す順序情報を取得する測定順序特定部３５５を有している。しかしながら、制御部３５は、これに限定されるものではなく、例えば、測定順序特定部３５５の代わりに、複数の端子台４１のそれぞれを特定するユニット特定手段としての端子台特定部３５５ａ（図１１参照）を有してもよい。この場合、端子台４１に図４に示すようなコードラベルＬをあらかじめ貼り付ける必要がない。
【００９３】
データ生成部３５３は、端子台特定部３５５ａによって特定された端子台４１と、端子特定部３５２によって特定された端子台４１の端子４２（４２ａ，４２ｂ，４２ｃ）と、に基づいて、端子台４１及び端子間測定ポイント６をそれぞれ順に選択可能な選択可能画像を表示部３４に表示させるための選択可能画像データを生成する。そして、データ生成部３５３は、生成した選択可能画像データを表示部３４に出力する。
【００９４】
図１２に示すように、表示部３４は、データ生成部３５３から出力された選択可能画像データに基づいて、端子台４１及び端子間測定ポイント６（６ａ，６ｂ，６ｃ）をそれぞれ順に選択可能な選択可能画像を表示する。端子台４１の測定順序７（７ａ，７ｂ，７ｃ，７ｄ，７ｅ，７ｆ）は、選択可能画像を視認しながら操作部３３を操作することにより、設定された。これにより、端子台４１の測定順序を自由に設定することができるので、測定の自由度を向上させることができる。
【００９５】
（第２変形例の携帯端末）
次に、図１３及び図１４を参照しながら第２変形例の携帯端末３について説明する。なお、第２変形例では、上述した実施形態と同様の点については説明を省略し、主に上述した実施形態と異なる点について説明する。
【００９６】
図１３は、先頭の端子台４１aにおける一部の端子間測定ポイント６（６ａ，６ｂ，６ｃ）のみが選択された状態を示す表示画面図である。図１４は、測定順序が端子台４１（４１ｂ，４１ｃ，４１ｄ，４１ｅ，４１ｆ）における一部の端子間測定ポイント６（６ａ，６ｂ，６ｃ）に自動的に付与された状態を示す表示画面図である。
【００９７】
上述した実施形態では、携帯端末３の制御部３５における選択判定部３５６は、先頭の端子台４１ａにおける全部の端子間測定ポイント６（６ａ，６ｂ，６ｃ）のみが選択されたか否かを判定している。しかしながら、選択判定部３５６は、これに限定されるものではなく、例えば、先頭の端子台４１ａにおける端子間測定ポイント６（６ａ，６ｂ，６ｃ）のみが選択されたか否かを判定してもよい。
【００９８】
選択判定部３５６が、先頭の端子台４１ａにおける端子間測定ポイント６（６ａ，６ｂ，６ｃ）のみが選択されていないと判定した場合、すなわち、先頭の端子台４１ａ以外の端子台４１（４１ｂ，４１ｃ，４１ｄ，４１ｅ，４１ｆ）における端子間測定ポイント６（６ａ，６ｂ，６ｃ）が選択された場合、測定順序付与部３５７は、測定順序付与を実行しない。
【００９９】
一方、選択判定部３５６が、先頭の端子台４１ａにおける端子間測定ポイント６（６ａ，６ｂ，６ｃ）のみが選択されたと判定した場合、すなわち、先頭の端子台４１ａにおける全部又は一部の端子間測定ポイント６（６ａ，６ｂ，６ｃ）のみが選択された場合、測定順序付与部３５７は、測定順序付与を実行する。
【０１００】
図１３に示すように、先頭の端子台４１ａにおける一部の端子間測定ポイント６（６ａ，６ｂ）のみが選択された場合、測定順序付与部３５７は、選択情報取得部３５４から出力された選択情報と、測定順序特定部３５５から出力された測定順序情報と、に基づいて、先頭の端子台４１ａ以外の未選択の端子台４１（４１ｂ，４１ｃ，４１ｄ，４１ｅ，４１ｆ）における一部の端子間測定ポイント６（６ａ，６ｂ）に測定順序を自動的に付与する。
【０１０１】
具体的には、測定順序付与部３５７は、先頭の端子台４１ａにおける端子間測定ポイント６（６ａ，６ｂ）の選択パターンに従って、先頭の端子台４１ａ以外の未選択の端子台４１（４１ｂ，４１ｃ，４１ｄ，４１ｅ，４１ｆ）の測定順序に沿って、端子台４１（４１ｂ，４１ｃ，４１ｄ，４１ｅ，４１ｆ）における一部の端子間測定ポイント６（６ａ，６ｂ）に測定順序を自動的に付与する。
【０１０２】
そして、測定順序付与部３５７は、自動的に付与したポイント測定順序を示すポイント測定順序情報を表示部３４に出力する。表示部３４は、測定順序付与部３５７によって自動的に付与されたポイント測定順序に基づいて、自動付与結果を図１４のように表示する。
【０１０３】
この構成によれば、先頭の端子台４１ａにおける一部の端子間測定ポイント６（６ａ，６ｂ，６ｃ）のみが選択された場合であっても、測定順序付与部３５７は、先頭の端子台４１ａ以外の未選択の端子台４１（４１ｂ，４１ｃ，４１ｄ，４１ｅ，４１ｆ）における一部の端子間測定ポイント６（６ａ，６ｂ）に測定順序を自動的に付与することができるので、ポイント測定順序自動付与の自由度が向上する。
【符号の説明】
【０１０４】
１      測定システム
２      測定装置
３      携帯端末
３４    表示部
３６    メモリ
３７    報知部
４      配電盤
５      ケーブル
６      端子間測定ポイント
４１    端子台
４２    端子
４２ａ  先頭の端子台
３５１  画像取得部
３５２  端子特定部
３５３  データ生成部
３５４  選択情報取得部
３５５  測定順序特定部
３５６  選択判定部
３５７  測定順序付与部
３６０  測定値判定部
【図１】
2020190811.tif 000003
【図２】
2020190811.tif 000004
【図３】
2020190811.tif 000005
【図４】
2020190811.tif 000006
【図５】
2020190811.tif 000007
【図６】
2020190811.tif 000008
【図７】
2020190811.tif 000009
【図８】
2020190811.tif 000010
【図９】
2020190811.tif 000011
【図１０】
2020190811.tif 000012
【図１１】
2020190811.tif 000013
【図１２】
2020190811.tif 000014
【図１３】
2020190811.tif 000015
【図１４】
2020190811.tif 000016